(57)【特許請求の範囲】
【請求項１】
電極（１１）の電解液供給孔（１１ｃ）から被加工物（１）に電解液を供給し、前記電極（１１）と被加工物（１）との間に電圧を印可する電解加工方法であって、
前記電極（１１）と前記被加工物（１）との間に印可された電圧を検出手段（１８）によって検出し、
前記検出手段（１８）の検出電圧が、抜け際短絡の前兆となる上昇を示した場合、前記電極（１１）の前記被加工物（１）側への相対的な変位速度を減少させることを特徴とする電解加工方法。
【請求項２】
前記検出手段（１８）の検出電圧が前記抜け際短絡の前兆となる上昇を示した場合、前記電極（１１）と前記被加工物（１）との間を流れる電流を低下させることを特徴とする請求項１に記載の電解加工方法。
【請求項３】
前記検出手段（１８）の検出電圧が前記抜け際短絡の前兆となる上昇を示した場合、前記変位速度をマイナスの速度にすることを特徴とする請求項１または２に記載の電解加工装置。
【請求項４】
前記検出手段（１８）の検出電圧が下降した場合、前記変位速度を減少させることを特徴とする請求項１ないし３のいずれか１つに記載の電解加工方法。
【請求項５】
前記変位速度を前記検出手段（１８）の検出電圧に比例させることを特徴とする請求項４に記載の電解加工方法。
【請求項６】
電解液供給孔（１１ｃ）が形成された電極（１１）と、
前記電解液供給孔（１１ｃ）に電解液を供給する電解液供給手段（１９）と、
前記電極（１１）と被加工物（１）との間に電圧を印可する電源（１７）と、
前記電極（１１）および前記被加工物（１）のうち少なくとも一方を変位駆動する駆動機構（１２、１３）と、
前記電極（１１）と前記被加工物（１）との間に印可された電圧を検出する検出手段（１８）と、
前記駆動機構（１２、１３）を制御する制御手段（１５）とを備え、
前記制御手段（１５）は、前記検出手段（１８）の検出電圧が、抜け際短絡の前兆となる上昇を示した場合、前記電極（１１）の前記被加工物（１）側への相対的な変位速度を減少させることを特徴とする電解加工装置。
【請求項７】
前記制御手段（１５）は、前記検出手段（１８）の検出電圧が前記抜け際短絡の前兆となる上昇を示した場合、前記電極（１１）と前記被加工物（１）との間を流れる電流が低下するように前記電源（１７）を制御することを特徴とする請求項６に記載の電解加工装置。
【請求項８】
前記制御手段（１５）は、前記検出手段（１８）の検出電圧が前記抜け際短絡の前兆となる上昇を示した場合、前記変位速度をマイナスの速度にすることを特徴とする請求項６または７に記載の電解加工装置。
【請求項９】
前記制御手段（１５）は、前記検出手段（１８）の検出電圧が下降した場合、前記変位速度を減少させることを特徴とする請求項６ないし８のいずれか１つに記載の電解加工装置。
【請求項１０】
前記制御手段（１５）は、前記変位速度を前記検出手段（１８）の検出電圧に比例させることを特徴とする請求項９に記載の電解加工装置。
【発明の詳細な説明】
【技術分野】
【０００１】
本発明は、電解加工方法および電解加工装置に関するものである。
【背景技術】
【０００２】
従来、特許文献１には、電極と被加工物との間への電解液の供給を、電極に設けた電解液供給孔を通じて行い、電極に振動を付加しながら電極と被加工物との間に電圧を印可することによって、スラッジ（加工屑）を排出しながら電解加工する電解加工方法が記載されている。
【０００３】
また、特許文献１には、望ましい電極／被加工物間隔を維持するように、被加工物の表面から材料を除去しながら電極の前進を制御する旨が記載されている。
【先行技術文献】
【特許文献】
【０００４】
【特許文献１】特表２００３−５１２１８９号公報
【発明の概要】
【発明が解決しようとする課題】
【０００５】
電極を用いる電解加工においては、加工中に電極が被加工物に接触して短絡が起こると加工が停止する上、電極と被加工物とが損傷するという問題がある。
【０００６】
短絡を抑制するためには、電極／被加工物間隔（極間距離）を大きめに維持すればよい。しかしながら、極間距離が大きいと、電極と被加工物との間に電流が流れにくくなるので加工時間が長くなってしまい、加工コストの増大を招く。つまり、短絡抑制は、加工時間短縮と背反の関係にある。
【０００７】
図７は、短絡抑制と加工時間短縮との背反を、孔明け加工の場合を例にして説明する図である。まず、極間距離が大きい場合、短絡は発生しない（短絡無し）が、電極１１と被加工物１との間に電流が流れにくくなるので加工時間は長くなる。
【０００８】
極間距離が小さい場合、加工時間を短縮できるが、抜け際（貫通する時）に短絡が発生する（抜け際のみ短絡）。すなわち、被加工物１が部分的に貫通した場合、電解液が専ら貫通部を流れるようになり、非貫通部では電解液の流れが悪くなる。すると、非貫通部にスラッジやガスが充満するので、非貫通部の加工速度が遅くなり、非貫通部と貫通部とで加工が不均一になる。そのため、電極１１と被加工物１の非貫通部とが接触して短絡が発生する。
【０００９】
極間距離がさらに小さい場合、加工時間をさらに短縮できる可能性があるが、スラッジやガスの排出が不十分になり、抜け際のみならず、貫通する前の加工中においても短絡が発生するようになる（加工中短絡）。
【００１０】
この点、特許文献１には、短絡抑制と加工時間短縮という背反を解決する手法について何ら言及されていない。
【００１１】
本発明は上記点に鑑みて、短絡抑制と加工時間短縮とを両立できる電解加工方法および電解加工装置を提供することを目的とする。
【課題を解決するための手段】
【００１２】
上記目的を達成するため、請求項１に記載の発明では、電極（１１）の電解液供給孔（１１ｃ）から被加工物（１）に電解液を供給し、電極（１１）と被加工物（１）との間に電圧を印可する電解加工方法であって、
電極（１１）と被加工物（１）との間に印可された電圧を検出手段（１８）によって検出し、
検出手段（１８）の検出電圧が、抜け際短絡の前兆となる上昇を示した場合、電極（１１）の被加工物（１）側への相対的な変位速度を減少させることを特徴とする。
【００１３】
これによると、電極（１１）と被加工物（１）との間に印可された電圧を短絡の可能性を表す指標として検出し、その検出結果に基づいて電極（１１）の被加工物（１）側への相対的な変位速度を変化させるので、短絡の可能性に応じて電極（１１）の変位速度を変化させることができる。このため、短絡抑制と加工時間短縮とを両立できる。
特に、請求項１に記載の発明では、電極（１１）と被加工物（１）との間に印可された電圧を検出手段（１８）によって検出し、その検出電圧が、抜け際短絡の前兆となる上昇を示した場合、電極（１１）の被加工物（１）側への相対的な変位速度を減少させるので、抜け際短絡を抑制できる。
【００１６】
請求項２に記載の発明では、請求項１に記載の電解加工方法において、検出手段（１８）の検出電圧が抜け際短絡の前兆となる上昇を示した場合、電極（１１）と被加工物（１）との間を流れる電流を低下させることを特徴とする。
【００１７】
これにより、抜け際短絡を一層抑制できる。
【００１８】
請求項３に記載の発明では、請求項１または２に記載の電解加工装置において、検出手段（１８）の検出電圧が抜け際短絡の前兆となる上昇を示した場合、電極（１１）の変位速度をマイナスの速度にすることを特徴とする。
【００１９】
これによると、抜け際短絡の前兆がある場合、電極（１１）を被加工物（１）と反対の方向に戻すことができるので、抜け際短絡を一層抑制できる。
【００２０】
請求項４に記載の発明では、請求項１ないし３のいずれか１つに記載の電解加工方法において、検出手段（１８）の検出電圧が下降した場合、変位速度を減少させることを特徴とする。
【００２１】
これによると、検出手段（１８）の検出電圧が下降した場合、すなわち加工中短絡の虞がある場合、電極（１１）の被加工物（１）側への相対的な変位速度を減少させるので、加工中短絡を抑制できる。
【００２２】
請求項５に記載の発明では、請求項４に記載の電解加工方法において、電極（１１）の変位速度を検出手段（１８）の検出電圧に比例させることを特徴とする。
【００２３】
これによると、検出手段（１８）の検出電圧が高い場合、すなわち加工中短絡の虞がない場合、電極（１１）の被加工物（１）側への相対的な変位速度を高くし、検出手段（１８）の検出電圧が低い場合、すなわち加工中短絡の虞がある場合、電極（１１）の被加工物（１）側への相対的な変位速度を低くすることができるので、加工中短絡の抑制と加工時間の短縮とを良好に両立できる。
【００２４】
請求項６に記載の発明では、電解液供給孔（１１ｃ）が形成された電極（１１）と、
電解液供給孔（１１ｃ）に電解液を供給する電解液供給手段（１９）と、
電極（１１）と被加工物（１）との間に電圧を印可する電源（１７）と、
電極（１１）および被加工物（１）のうち少なくとも一方を変位駆動する駆動機構（１２、１３）と、
電極（１１）と被加工物（１）との間に印可された電圧を検出する検出手段（１８）と、
駆動機構（１２、１３）を制御する制御手段（１５）とを備え、
制御手段（１５）は、検出手段（１８）の検出電圧が、抜け際短絡の前兆となる上昇を示した場合、電極（１１）の被加工物（１）側への相対的な変位速度を減少させることを特徴とする。
【００２５】
これによると、上記した請求項１に記載の発明と同様の作用効果を得ることができる。
【００２８】
請求項７に記載の発明では、請求項６に記載の電解加工装置において、制御手段（１５）は、検出手段（１８）の検出電圧が抜け際短絡の前兆となる上昇を示した場合、電極（１１）と被加工物（１）との間を流れる電流が低下するように電源（１７）を制御することを特徴とする。
【００２９】
これによると、上記した請求項２に記載の発明と同様の作用効果を得ることができる。
【００３０】
請求項８に記載の発明では、請求項６または７に記載の電解加工装置において、制御手段（１５）は、検出手段（１８）の検出電圧が抜け際短絡の前兆となる上昇を示した場合、電極（１１）の変位速度をマイナスの速度にすることを特徴とする。
【００３１】
これによると、上記した請求項３に記載の発明と同様の作用効果を得ることができる。
【００３２】
請求項９に記載の発明では、請求項６ないし８のいずれか１つに記載の電解加工装置において、制御手段（１５）は、検出手段（１８）の検出電圧が下降した場合、電極（１１）の変位速度を減少させることを特徴とする。
【００３３】
これによると、上記した請求項４に記載の発明と同様の作用効果を得ることができる。
【００３４】
請求項１０に記載の発明では、請求項９に記載の電解加工装置において、制御手段（１５）は、電極（１１）の変位速度を検出手段（１８）の検出電圧に比例させることを特徴とする。
【００３５】
これによると、上記した請求項５に記載の発明と同様の作用効果を得ることができる。
【００３６】
なお、この欄および特許請求の範囲で記載した各手段の括弧内の符号は、後述する実施形態に記載の具体的手段との対応関係を示すものである。
【図面の簡単な説明】
【００３７】
【図１】第１実施形態における電解加工装置の全体構成図である。
【図２】図１の電極および被加工物の断面図である。
【図３】図１の制御装置が実行する通常制御に用いられるマップである。
【図４】通常制御と短絡防止制御との切り替え処理を示すフローチャートである。
【図５】通常制御および短絡防止制御による作動例を示すタイムチャートである。
【図６】第２実施形態における電極および被加工物の断面図である。
【図７】短絡抑制と加工時間短縮との背反を、孔明け加工を例にして説明する図である。
【発明を実施するための形態】
【００３８】
（第１実施形態）
以下、第１実施形態における電解加工方法および電解加工装置を説明する。図１は、電解加工装置の全体構成図である。電解加工用電極１１は、動力伝達機構１２に保持されている。
【００３９】
動力伝達機構１２は、駆動装置１３からの駆動力によって駆動され、電極１１が被加工物１（ワーク）に対して接近・離反するように電極１１を往復動させる。すなわち、動力伝達機構１２および駆動装置１３は、電極１１を変位駆動する駆動機構を構成している。
【００４０】
動力伝達機構１２としては、ボールネジ、カム、シリンダ、ピエゾアクチュエータ、ダイヤフラム、バネ等が適宜用いられる。駆動装置１３としては、モータやエアシリンダ、ピエゾアクチュエータ等が適宜用いられる。
【００４１】
駆動装置１３の作動状態は、センサ１４によって検出される。センサ１４の検出信号は制御装置１５に入力される。制御装置１５は、センサ１４の検出信号に基づいて、電極１１の往復動方向における位置を把握することができる。
【００４２】
被加工物１は、ベース１６に固定されるようになっている。ベース１６は、銅やＳＵＳ（ステンレス鋼）などの電気抵抗の低い金属で形成されている場合と、御影石等の石定盤のように絶縁剛性体から成る場合とがある。前者の場合、被加工物１はベース１６に直接取り付けられて固定される。後者の場合、石定盤の上に銅やＳＵＳ（ステンレス鋼）の治具を別途取り付けて被加工物を固定する。
【００４３】
電源１７は、電極１１と被加工物１との間に電流を供給するものであり、例えばパルス電源や直流電源が用いられる。電源１７の出力電圧は、制御装置１５（制御手段）によって制御される。制御装置１５は、設定電流が電極１１と被加工物１との間に流れるように電源１７の出力電圧を制御する。
【００４４】
電極１１と被加工物１との間に印可される電圧、および電極１１と被加工物１との間に流れる電流は、電圧電流計１８（検出手段）によってモニタリング（継続的に検出）される。電圧電流計１８の電圧モニタ値および電流モニタ値は、制御装置１５に入力される。
【００４５】
電解液供給装置１９（電解液供給手段）は、塩化ナトリウムや硝酸ナトリウムの水溶液などの電解液を吐出する。電解液供給装置１９から吐出された電解液は、電極１１に形成された電解液供給孔１１ｃを通して電極１１と被加工物１との間に供給される。
【００４６】
電解液供給装置１９は、電解液の吐出口を開閉するバルブ（図示せず）と、アキュムレーター等の圧力変動を抑制する機構（図示せず）とを有している。電解液供給装置１９のバルブの開閉は、制御装置１５によって制御される。また、電解液供給装置１９は、電解液の供給圧力を制御できるとともに、複数の電解液を準備しておき、被加工物の種類毎に適した電解液に切り替えできるようにするのが好ましい。
【００４７】
電極１１と被加工物１との間に供給された電解液は、タンク２０に回収される。タンク２０に回収された電解液は、遠心分離装置やフィルタを有する濾過装置２１を通して電解液供給装置１９に戻されるようになっている。
【００４８】
図２は、電極１１および被加工物１の断面図である。図２（ａ）は、加工途中の状態を示し、図２（ｂ）は、加工完了状態を示している。
【００４９】
電極１１は、筒状の導電部１１ａと、導電部１１ａの外周側を覆う絶縁部１１ｂとを有している。導電部１１ａは、ＳＵＳ（ステンレス鋼）などの電気抵抗の低い金属で形成されている。絶縁部１１ｂは、ポリアセタールコポリマーや耐熱塩化ビニルなどの電気抵抗の高い絶縁材で形成されている。絶縁部１１ｂには電解液供給孔１１ｃが形成されている。また、絶縁部１１ｂは、ポリテトラフルオロエチレン等のコーティング材で形成されていてもよい。
【００５０】
このような電極１１を用いて、電解液供給孔１１ｃから電解液を矢印のように供給しながら被加工物１と導電部１１ａの間に電圧を印加し、被加工物１のうち導電部１１ａと対向する部位の金属を溶出させ、被加工物１の表面に凹形状の加工部１ａを形成する。
【００５１】
また、被加工物１のうち導電部１１ａから離れた部位１ｂでは電解反応は起こらず、平坦な非加工部となる。加工部１ａと非加工部１ｂとの境界にはエッジ部１ｃが形成される。
【００５２】
加工の進展に合わせて電極１１を被加工物１に接近させ、加工部１ａの深さを深くし、加工部１ａを貫通させる。これにより、被加工物１に貫通孔が形成される。
【００５３】
貫通孔の加工時間（加工速度）は、電極１１を被加工物１に接近させる速度（電極送り速度）と相関関係がある。すなわち、電極送り速度が速いと加工速度が速くなって加工時間が短くなり、電極送り速度が遅いと加工速度が遅くなって加工時間が長くなるという関係がある。
【００５４】
電極１１の絶縁部１１ｂは、所定の加工寸法を得るためと、加工したい箇所以外での２次的な加工の発生を防止するために用いる。
【００５５】
電極１１の導電部１１ａは、図２の例のように絶縁部１１ｂから突き出すように形成してもよいが、突き出さないで、その端部が絶縁部１１ｂと同一面になるようにしてもよい。絶縁部１１ｂは、導電部１１ａに圧入され、あるいは接着などにより接合されて導電部１１ａと一体化される。
【００５６】
図２の例では、電解液供給孔１１ｃがストレート形状になっているが、ストレート形状に限らず、例えば電解液の出口部がテーパ状に広くなった形状になっていてもよい。
【００５７】
次に、孔明け加工時に制御装置１５が行う制御処理を説明する。制御装置１５が行う制御処理には、通常制御と短絡防止制御とがある。
【００５８】
図３は、通常制御に用いられるマップである。図４は、通常制御と短絡防止制御との切り替え処理の概要を示すフローチャートである。図５は、通常制御および短絡防止制御による作動例を示すタイムチャートである。
【００５９】
まず、通常制御では、設定電流を加工設定電流（図５）にする。加工設定電流は、予め制御装置１５に記憶されている。これにより、制御装置１５は、電極１１と被加工物１との間に加工設定電流が流れるように電源１７の出力電圧を制御する。
【００６０】
また、通常制御では、電圧電流計１８によってモニタリング（継続的に検出）された電圧値（電圧モニタ値）と図３のマップとに基づいて、電極送り速度（加工速度）を変化させる。図３のマップは、予め制御装置１５に記憶されている。
【００６１】
図３のマップでは、電極送り速度は電圧モニタ値に比例している。これにより、図５に示すように、電圧モニタ値が低下した場合、電極送り速度（加工速度）が低下する。
【００６２】
図３の例では、電圧モニタ値が所定値よりも低い場合、電極送り速度をマイナスにする。電圧モニタ値が短絡検知電圧以下の場合、電極送り速度が下限値（−設定加工速度）に設定される。また、図３の例では、電極送り速度に上限値（設定加工速度×最大倍率）が設定されている。
【００６３】
電圧モニタ値は、電極１１と被加工物１との間の距離（極間距離）と相関関係がある。すなわち、電極１１と被加工物１との間の距離（極間距離）が小さいほど、電極１１と被加工物１との間において電気抵抗が小さくなって電流が流れやすくなる。
【００６４】
したがって、通常制御では、極間距離が大きくなっていて電圧モニタ値が高くなっている場合、電極送り速度を早くして極間距離を小さくする。一方、極間距離が小さくなっていて電圧モニタ値が低くなっている場合、電極送り速度を遅くして極間距離を大きくする。場合によっては電極送り速度がマイナスになる）。
【００６５】
このため、極間距離が適切な距離に維持されるので、適切な加工速度を維持しつつ、電極１１の先端が被加工物１に接触して短絡することを防止できる。
【００６６】
短絡防止制御は、加工部１ａが被加工物１を貫通する際（抜け際）に短絡を防止するために行われる制御である。図５に示すように、短絡防止制御では、電極送り速度をマイナスにする。すなわち、電極１１を被加工物１から離反させる。
【００６７】
また、短絡防止制御では、設定電流を短絡設定電流に変更する。短絡設定電流は、通常設定電流よりも低い値であり、具体的には、加工が成立しないほど低いレベルの電流値が選定されている。
【００６８】
図４のフローチャートに示すように、通常制御と短絡防止制御との切り替えは、電圧モニタ値に基づいて行われる。図４のフローチャートは、電源１７にパルス電源が用いられている場合の例を示している。
【００６９】
まず、ステップ１００にて、電圧電流計１８が検出した電圧モニタ値を取得する。これにより、制御装置１５は、印可されたパルス電圧のピーク値を把握することができる。
【００７０】
次いで、ステップＳ１１０にて、所定時間内におけるピーク電圧の上昇量が第１閾値（図５）以上か否かを判定する。第１閾値は、予め制御装置１５に記憶されている。
【００７１】
所定時間内におけるピーク電圧の上昇量が第１閾値以上であると判定した場合（ＹＥＳ判定の場合）、ステップＳ１２０、Ｓ１３０へ進み、短絡防止制御を実行する。
【００７２】
具体的には、ステップＳ１２０にて、電極送り速度をマイナスの所定速度に変更する。これにより、電極１１が被加工物１から離反する。マイナスの所定速度の値は、予め制御装置１５に記憶されている。
【００７３】
さらに、ステップＳ１３０にて、設定電流を短絡設定電流に変更する。短絡設定電流は、通常設定電流よりも低い値であり、具体的には、加工が成立しないほど低いレベルの電流値が選定されている。これにより、電極１１と被加工物１との間に流れる電流が極めて低くなり、加工が中断される。短絡設定電流は、予め制御装置１５に記憶されている。
【００７４】
次いで、ステップＳ１４０にて、ピーク電圧が第２閾値（図５）以上であるか否かを判定する。第２閾値は、予め制御装置１５に記憶されている。ピーク電圧が第２閾値以上であると判定した場合（ＹＥＳ判定の場合）、ステップＳ１５０へ進み、通常制御を実行する。すなわち、電極送り速度を図３のマップに基づいて決定し、設定電流を通常設定電流にする。
【００７５】
ステップＳ１４０にて、ピーク電圧が第２閾値未満である場合と判定した場合（ＮＯ判定の場合）、ステップＳ１４０を繰り返す。
【００７６】
ステップＳ１１０にて、所定時間内におけるピーク電圧の上昇量が第１閾値未満であると判定した場合（ＮＯ判定の場合）、ステップＳ１５０へ進み、通常制御を実行する。
【００７７】
図５の例では、加工開始直後には通常制御が実施され、電極１１が被加工物１に向かって下降する。加工が進展するにつれ、極間距離が短くなり電圧モニタ値が低下する。これに伴い電極送り速度を低下させる。これにより、加工中の短絡が防止されるとともに、電圧モニタ値が基準電圧とほぼ同じ値に維持される。
【００７８】
さらに加工が進展して被加工物１が部分的に貫通すると、電圧モニタ値に特有の上昇が現れる。そのメカニズムは以下の通りであると考えられる。
【００７９】
（１）一部が貫通することで、電解液が専ら貫通部を流れるようになり、非貫通部では電解液の流れが悪くなる。すると、非貫通部にスラッジやガスが充満するので電流が流れにくくなるので、電圧モニタ値が上昇すると考えられる。
【００８０】
（２）一部が貫通することで、加工部面積が小さくなる。このため、抵抗が大きくなるので電圧モニタ値が上昇すると考えられる。
【００８１】
被加工物１が部分的に貫通した場合、非貫通部にスラッジやガスが充満するので、非貫通部の加工速度が遅くなり、非貫通部と貫通部とで加工が不均一になる。そのため、電極１１と被加工物１の非貫通部とが接触して短絡する可能性が高くなる（短絡の兆候）。
【００８２】
そこで、本実施形態では、ステップＳ１１０〜Ｓ１３０のように、短絡の兆候となる電圧モニタ値の上昇（本例では、所定時間内におけるピーク電圧の上昇量が第１閾値以上）が検知された場合、短絡防止制御が実行されるので、貫通時の短絡（抜け際短絡）を防止することができる。
【００８３】
具体的には、短絡防止制御では、電極送り速度がマイナスの所定速度に変更されるので、電極１１が被加工物１から離反する方向に戻される（電極戻し）。これと同時に、設定電流が短絡設定電流に変更されるので、モニタ電圧値が大幅に低下する。
【００８４】
短絡防止制御時には、電極１１が被加工物１から離反する方向に戻されて極間距離が増加するにつれてモニタ電圧値が上昇する。そして、モニタ電圧値が第２閾値以上になると、短絡防止制御から通常制御に戻される。すなわち、極間距離が十分に確保されると、通常制御に戻して加工を再開する。
【００８５】
このようにして、抜け際短絡（貫通時の短絡）を防止しながら被加工物１に貫通孔を加工する。
【００８６】
本実施形態によると、電極送り速度（電極１１の被加工物１側への相対的な変位速度）を、短絡の可能性を表す指標としての電圧モニタ値（電圧電流計１８の検出結果）に基づいて変化させるで、短絡防止と加工時間短縮とを両立できる。
【００８７】
具体的には、短絡防止制御では、被加工物１が部分的に貫通したときに現れる電圧モニタ値の上昇を検知して電極を戻すので、抜け際短絡（被加工物１が貫通する際の短絡）を防止できる。また、通常制御では、極間距離の代用特性としての電圧モニタ値に応じて電極送り速度を制御するので、加工中短絡（貫通する前の加工中における短絡）を防止できる。
【００８８】
このような制御を行った場合、単純に極間距離を大きめに維持することで短絡を防止する場合に比べて加工時間を短縮できる。したがって、短絡防止と加工時間短縮とを両立できる。
【００８９】
なお、短絡防止制御では必ずしも電極を戻す必要はなく、電圧モニタ値の上昇を検知した時点に比べて電極送り速度を低下させて電極送りをゆっくりにすれば、電極送り速度を低下させない場合と比較して短絡を抑制することができる。
【００９０】
因みに、加工開始時および貫通時に電極送りをゆっくりにすれば、図２（ｂ）に示すエッジ部１ｃを滑らかなＲ形状に成形することができる。この加工方法は、エッジ部１ｃのＲ形状精度が極めて重要となる場合に非常に有効である。
【００９１】
（第２実施形態）
本第２実施形態は、被加工物２の奥まった部分に孔明け加工を行う例を示すものである。
【００９２】
図６に示すように、電極１１は、直線形状部と、直線形状部から直交方向に突出する複数の先端部とを有し、複数の先端部のそれぞれに電解液供給孔１１ｃが形成されている。電極１１は、上記第１実施形態と同様に、導電部１１ａと、導電部１１ａの外周側を覆う絶縁部１１ｂとを有している。
【００９３】
被加工物２には、挿入側の孔２ａと抜け側の孔２ｂとが予め形成されている。電極１１は、被加工物２の挿入側の孔２ａと抜け側の孔２ｂとを連通する孔２ｃを明ける加工を行う。
【００９４】
具体的には、電極１１を挿入側の孔２ａに挿入し、抜け側の孔２ｂに向かって送りながら上記第１実施形態と同様の制御処理を行うことによって、複数の孔２ｃを一度に明ける。
【００９５】
本実施形態によると、切削等の他の加工技術では加工が難しい孔明け加工を行うことができる。具体的には、奥まった部分の孔明け加工や、横穴明け加工を行うことができる。また、本実施形態によると、複数の孔を同時に加工することができる。
【００９６】
ちなみに、電解液供給装置１９は、複数の電解液供給孔１１ｃに対して電解液の供給を独立して行えるように、複数系統をそれぞれ独立して開閉可能になっているのが望ましい。
【００９７】
（他の実施形態）
なお、上記各実施形態では、動力伝達機構１２および駆動装置１３が電極１１を往復動させるが、これに限定されるものではなく、電極１１および被加工物１のうち少なくとも一方を変位駆動して、電極１１の被加工物１側への相対的な変位速度を変化させるようにすればよい。
【００９８】
また、上記第１実施形態は、制御装置１５による制御処理の一例を示したものに過ぎず、これに限定されることなく、制御装置１５による制御処理を種々変形可能である。
【００９９】
例えば、上記第１実施形態では、所定時間内におけるピーク電圧の上昇量が第１閾値以上であると判定した場合、短絡防止制御を実行するが、短絡防止制御の実行条件はこれに限定されるものではなく、電圧電流計１８の検出電圧が抜け際短絡の前兆となる上昇を示した場合、短絡防止制御を実行するようにすればよい。
【０１００】
例えば、上記第１実施形態では、通常制御における電極送り速度が電圧モニタ値に比例しているが、これに限定されるものではなく、電圧電流計１８の検出電圧が下降した場合、電極送り速度を減少させるようにすればよい。
【０１０１】
例えば、上記第１実施形態では、電極送り速度を電圧モニタ値に基づいて変化させるが、電極送り速度を電流モニタ値に基づいて変化させるようにしてもよい。
【０１０２】
また、上記各実施形態は、本発明を孔明け加工に適用した例を示したが、これに限定されるものではなく、溝成形加工等の種々の加工に本発明を広く適用可能である。
【符号の説明】
【０１０３】
１      被加工物
１１    電極
１１ｃ  電解液供給孔
１２    動力伝達機構（駆動機構）
１３    駆動装置（駆動機構）
１５    制御装置（制御手段）
１７    電源
１８    電圧電流計（検出手段）
１９    電解液供給装置（電解液供給手段）
【図１】
0005549576.tif 000002
【図２】
0005549576.tif 000003
【図３】
0005549576.tif 000004
【図４】
0005549576.tif 000005
【図５】
0005549576.tif 000006
【図６】
0005549576.tif 000007
【図７】
0005549576.tif 000008